【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊戯者が操作する操作手段と、複数の景品が配置可能な内部空間を構成する景品配置部と、前記空間内で移動可能に構成された把持部を備えた景品取得手段と、前記空間内に設けられた景品排出口と、前記操作手段からの操作信号に応答して前記景品取得手段の作動を制御する制御手段と、前記排出口から排出された景品を収容する排出景品収容部と、前記排出口から排出された景品が前記排出景品収容部の底部まで自由落下するように構成された通路と、前記排出景品収容部の底部に着脱可能に装着される緩衝ユニットと、景品取出口と、を備え、
景品取出口は、前記通路に沿って配置された開口部と、該開口部の上側を軸として前記通路の奥側方向に傾動可能に取り付けられた蓋体と、を備えてなり、
前記緩衝ユニットは、前記蓋体を前記通路の奥側方向に傾動させた状態で前記開口部からの装着が可能な大きさを有し、前記底部に装着されたとき該底部に固定可能にする剛性体と、前記通路を経由して自由落下した景品の衝撃を和らげる緩衝面とを備えた
ことを特徴とする景品取得ゲーム装置。
【請求項２】
前記緩衝ユニットは、剛性を持つ剛性体と、前記剛性体の上部に重ねた弾性を持つ弾性体と、前記剛性体の一部を前記排出景品収容部内に固着させて固定する固定手段とからなることを特徴とする請求項１に記載の景品取得ゲーム装置。
【請求項３】
前記緩衝ユニットは、衝撃吸収力が異なる第１及び第２の弾性体が層設されて構成された緩衝層と、その下に層設された前記剛性体と、前記剛性体の端部の一部を切り欠いた切欠部と、を有し、前記第２の弾性体及び/又は前記第１の弾性体は、前記切欠部に対応する部分を覆うように構成されていることを特徴とする請求項１又は２に記載の景品取得ゲーム装置。
【請求項４】
複数の景品が配置可能な内部空間を構成する景品配置部と、アームの開閉動作により前記景品の把持及び開放が可能に構成され、前記内部空間内で水平及び上下方向に移動自在な把持部を有する景品取得手段と、前記空間内に設けられた排出口と、遊戯者用の操作手段と、前記操作手段からの操作信号に応答して前記把持部の水平方向の位置決めを行う動作と、下降して前記景品が配置された位置で前記アームを開き閉じる動作と、前記排出口上に移動して前記アームを開く動作とを含む動作の制御を行う制御手段と、前記排出口から落下した景品を収容する排出景品収容部と、前記排出口から排出された景品が前記排出景品収容部の底部まで自由落下する通路と、を備え、
前記排出景品収容部は、前記通路に沿って設けられた景品取出口と、該景品取出口の上側を軸として前記通路の奥側方向に傾動可能に取り付けられた蓋体と、緩衝ユニットが着脱可能に構成された前記底部と、を備えてなり、
前記緩衝ユニットは、前記景品取出口から装着可能な大きさに構成され、衝撃吸収力の異なる複数種類の弾性体を複数重ねて前記自由落下した景品の衝撃を和らげるように構成した緩衝層と、その下に薄板状の剛性体が層設され前記底部に固定可能にする剛性を備えるように構成されてなることを特徴とする景品取得ゲーム装置。
【請求項５】
前記排出景品収容部には、前記蓋体と反対側の面に収容空間の奥行きを規定する壁部が設けられており、前記壁部と前記緩衝ユニットの前記剛性体の対応部分には互いに係合する嵌合部がそれぞれ設けられており、前記緩衝ユニットを前記底面上に固定する固定部が前記蓋体側に設けられていることを特徴とする請求項１乃至４のいずれかに記載の景品取得ゲーム装置。
【請求項６】
前記緩衝ユニットの剛性体は、前記蓋体側に端部の一部を切り欠いた切欠部を有することを特徴とする請求項１乃至５のいずれかに記載の景品取得ゲーム装置。
【請求項７】
前記制御手段は、前記把持部が前記排出口の上方に位置することを検出する検出手段からの検出信号を受信したときに、前記把持部を下方向へ移動させた後に、景品の把持を解除する制御を行うことを特徴とする請求項１乃至請求項６のいずれかに記載の景品取得ゲーム装置。
【請求項８】
基台と、前面および側面が透明な部材で構成された収容空間が前記基台上に設けられた景品配置部と、前記空間内に水平方向及び上下方向に移動可能に配置された把持部を含む景品取得手段と、前記収容空間内に配置された景品排出口と、前記基台内に設けられた排出景品収容部と、前記景品排出口から排出された景品が自由落下する経路を含む通路と、前記把持部の前記水平方向の位置決め操作を行わせる操作手段と、を備え、
前記排出景品収容部は、前記基台の底面近くに位置する底部と、前記通路に沿って設けられた景品取出口と、前記景品取出口を塞ぐ蓋と、前記底部に着脱可能に装着された緩衝ユニットと、を備えてなり、前記蓋は、開くとき前記取出口の上側を軸に前記通路側に傾動するように構成されており、
前記緩衝ユニットは、前記蓋を前記通路側に傾動させた状態で前記取出口から着脱が可能な大きさに構成され、前記底部に装着されたとき該底部に固定可能にする剛性体と、前記自由落下した景品の衝撃を和らげる緩衝面とを備えてなる
ことを特徴とする景品取得ゲーム装置。
【手続補正２】
【補正対象書類名】明細書
【補正対象項目名】０００８
【補正方法】変更
【補正の内容】
【０００８】
本発明は、筐体内の取得手段を移動させて景品を取得する景品取得ゲーム装置に関するものであり、本発明の上記目的は、遊戯者が操作する操作手段と、複数の景品が配置可能な内部空間を構成する景品配置部と、前記空間内で移動可能に構成された把持部を備えた景品取得手段と、前記空間内に設けられた景品排出口と、前記操作手段からの操作信号に応答して前記景品取得手段の作動を制御する制御手段と、前記排出口から排出された景品を収容する排出景品収容部と、前記排出口から排出された景品が前記排出景品収容部の底部まで自由落下するように構成された通路と、前記排出景品収容部の底部に着脱可能に装着される緩衝ユニットと、景品取出口と、を備え、景品取出口は、前記通路に沿って配置された開口部と、該開口部の上側を軸として前記通路の奥側方向に傾動可能に取り付けられた蓋体と、を備えてなり、前記緩衝ユニットは、前記蓋体を前記通路の奥側方向に傾動させた状態で前記開口部からの装着が可能な大きさを有し、前記底部に装着されたとき該底部に固定可能にする剛性体と、前記通路を経由して自由落下した景品の衝撃を和らげる緩衝面とを備えることによって達成される。
【手続補正３】
【補正対象書類名】明細書
【補正対象項目名】０００９
【補正方法】変更
【補正の内容】
【０００９】
さらに、前記緩衝ユニットは、剛性を持つ剛性体と、前記剛性体の上部に重ねた弾性を持つ弾性体と、前記剛性体の一部を前記排出景品収容部内に固着させて固定する固定手段とからなること、前記緩衝ユニットは、衝撃吸収力が異なる第１及び第２の弾性体が層設されて構成された緩衝層と、その下に層設された前記剛性体と、前記剛性体の端部の一部を切り欠いた切欠部と、を有し、前記第２の弾性体及び/又は前記第１の弾性体は、前記切欠部に対応する部分を覆うように構成されていること、によってそれぞれ一層効果的に達成される。
【手続補正４】
【補正対象書類名】明細書
【補正対象項目名】００１０
【補正方法】変更
【補正の内容】
【００１０】
あるいは、本発明の上記目的は、複数の景品が配置可能な内部空間を構成する景品配置部と、アームの開閉動作により前記景品の把持及び開放が可能に構成され、前記内部空間内で水平及び上下方向に移動自在な把持部を有する景品取得手段と、前記空間内に設けられた排出口と、遊戯者用の操作手段と、前記操作手段からの操作信号に応答して前記把持部の水平方向の位置決めを行う動作と、下降して前記景品が配置された位置で前記アームを開き閉じる動作と、前記排出口上に移動して前記アームを開く動作とを含む動作の制御を行う制御手段と、前記排出口から落下した景品を収容する排出景品収容部と、前記排出口から排出された景品が前記排出景品収容部の底部まで自由落下する通路と、を備え、前記排出景品収容部は、前記通路に沿って設けられた景品取出口と、該景品取出口の上側を軸として前記通路の奥側方向に傾動可能に取り付けられた蓋体と、緩衝ユニットが着脱可能に構成された前記底部と、を備えてなり、前記緩衝ユニットは、前記景品取出口から装着可能な大きさに構成され、衝撃吸収力の異なる複数種類の弾性体を複数重ねて前記自由落下した景品の衝撃を和らげるように構成した緩衝層と、その下に薄板状の剛性体が層設され前記底部に固定可能にする剛性を備えるように構成されてなることによって達成される。
【手続補正５】
【補正対象書類名】明細書
【補正対象項目名】００１１
【補正方法】変更
【補正の内容】
【００１１】
さらに、前記排出景品収容部には、前記蓋体と反対側の面に収容空間の奥行きを規定する壁部が設けられており、前記壁部と前記緩衝ユニットの前記剛性体の対応部分には互いに係合する嵌合部がそれぞれ設けられており、前記緩衝ユニットを前記底面上に固定する固定部が前記蓋体側に設けられていること、前記緩衝ユニットの剛性体は、前記蓋体側に端部の一部を切り欠いた切欠部を有すること、前記制御手段は、前記把持部が前記排出口の上方に位置することを検出する検出手段からの検出信号を受信したときに、前記把持部を下方向へ移動させた後に、景品の把持を解除する制御を行うこと、によってそれぞれ一層効果的に達成される。
あるいは、本発明の上記目的は、基台と、前面および側面が透明な部材で構成された収容空間が前記基台上に設けられた景品配置部と、前記空間内に水平方向及び上下方向に移動可能に配置された把持部を含む景品取得手段と、前記収容空間内に配置された景品排出口と、前記基台内に設けられた排出景品収容部と、前記景品排出口から排出された景品が自由落下する経路を含む通路と、前記把持部の前記水平方向の位置決め操作を行わせる操作手段と、を備え、前記排出景品収容部は、前記基台の底面近くに位置する底部と、前記通路に沿って設けられた景品取出口と、前記景品取出口を塞ぐ蓋と、前記底部に着脱可能に装着された緩衝ユニットと、を備えてなり、前記蓋は、開くとき前記取出口の上側を軸に前記通路側に傾動するように構成されており、前記緩衝ユニットは、前記蓋を前記通路側に傾動させた状態で前記取出口から着脱が可能な大きさに構成され、前記底部に装着されたとき該底部に固定可能にする剛性体と、前記自由落下した景品の衝撃を和らげる緩衝面とを備えてなることによって達成される。
【手続補正６】
【補正対象書類名】明細書
【補正対象項目名】００１４
【補正方法】変更
【補正の内容】
【００１４】
景品取得ゲーム装置１００には、直方体の基台１の上に箱型の景品配置部（以下「景品収容部」と言う）２が設けられ、この景品収容部２の前面２ａ及び側面２ｂ、２ｃは、透明な樹脂製又はガラス製の板状部材によって構成されている。また、景品収容部２の背面２ｄは、下半分部２ｄ１が鏡面の板状部材から構成され、上半分部２ｄ２が白色の板状部材から構成されている。このように、景品収容部２の背面２ｄに白色のカラーを取込むことによって、収容部内が明るくなるとともに景品の見栄えがよくなるという視覚的効果が得られる。さらに、背面２ｄの下半分部を鏡面としているため、収容部内に配置された景品３が鏡面部に映し出され、実際の数よりも多くの景品が遊戯者の目に映し出されるという視覚的効果が得られる。なお、上記の鏡面部は設けなくても良い。